(57)【要約】  【課題】  簡単かつ経済的に構築でき、周辺の自然景観と調和する法面の構造を提供すること。  【解決手段】  隣接する金網２の端部と端部が重なるように帯状の金網２を法面方向に敷設し、前記金網２の端部の重複部２１上に法面方向に間隔を置いて複数の基礎用枠部材１を設置し、前記基礎用枠部材１の内部、及び前記重複部２１に沿って配置した鉄筋３上に固化材を吹き付けて基礎部５１及び縦枠５２を構築し、前記基礎部に立設した支柱４と、法面の横方向に間隔を置いて設けた他の支柱４間に柵部材６を配置したものである。【選択図】図１
2005068679.tif 000002
【特許請求の範囲】
【請求項１】
外郭を形成する外枠部と、
前記外枠部から突出する部分であって、面状の型枠となる受け型枠と、からなる、
基礎用枠部材。
【請求項２】
法面上に敷設した金網と、
前記金網上において法面の横方向に間隔を置いて複数配置した請求項１記載の基礎用枠部材と、
前記基礎用枠部材に立設する支柱と、
前記基礎用枠部材の内部に充填する固化材と、
法面の横方向に複数設けた前記支柱間に配置する柵部材と、からなる、
法面の構造。
【請求項３】
隣接する金網の端部と端部が重なるように帯状の金網を法面方向に敷設し、
前記金網の端部の重複部上に法面方向に間隔を置いて複数の請求項１記載の基礎用枠部材を設置し、
前記基礎用枠部材の内部、及び前記重複部に沿って配置した鉄筋上に固化材を吹き付けて基礎部及び縦枠を構築し、
前記基礎部に立設した支柱と、法面の横方向に間隔を置いて設けた他の支柱間に柵部材を配置した、
法面の構造。
【発明の詳細な説明】
【技術分野】
【０００１】
本発明は、法面上に柵を構築するための法面の構造に関するものである。
【背景技術】
【０００２】
従来から小石の落下を防止するために法面上に柵を構築することがあった。また、法面を緑化するために法面上に植栽用の空間を設けて、その中に植生基材を充填し植栽をおこなう法面の緑化方法も実施されている。特許文献１には、半割り丸太や木杭などの木材を使用して法面上に階段状の植栽空間を構築し、木製柵の背面に植生基材を充填して植栽をおこなう緑化工法が開示されている。
また、林業の分野においては、植栽林の良好な生育環境の創出と、その費用を捻出するために、間伐材を有効に活用することが望まれている。
さらに、従来から植生基材を吹き付けて法面を緑化する場合には、掘削した法面上に金網を敷設してから吹き付けをおこなう方法が一般的であった。
【特許文献１】特開平１１−１０７２８５号公報
【発明の開示】
【発明が解決しようとする課題】
【０００３】
前記した従来の法面の構造にあっては、次のような問題点がある。
＜１＞法面上に植栽空間を形成するために、コンクリート製の大型の法枠を構築したり、箱状のコンクリートブロックを設置したりしていた。このため、緑化後も人工的なコンクリート部材が法面に露出し、周辺の自然景観との調和がとれない場合が多い。
＜２＞法面に敷設する金網は、通常、幅２ｍ程度の帯状に形成されており、金網の端部を重ねながら敷設する。この金網の端部には反りが入り易く、金網が捲れあがった場合は、植生基材の均一厚さでの吹き付けが困難になったり、吹き付けた植生基材が剥がれ落ちる原因になったりする。また、法枠を設置する場合であっても、法枠の通常の配置間隔と金網の幅が合わないため、金網の端部に常に法枠が配置されるように設計するのは難しい。
＜３＞間伐材などで法面上に柵を構築する場合、支柱を立てる必要がある。支柱を立てるための基礎は、通常、現地で一つずつ構築するため、手間がかかる。また、法面上に太い支柱を打ち込む作業は困難で危険度の高い作業となる。
＜４＞植生基材を吹き付けるだけで法枠を構築しない場合は、植生基材が侵食されやすい。一方、既製サイズの法枠を構築する場合は、植生基材を押さえつける目的のみで配置するには大きすぎて不経済である。
【課題を解決するための手段】
【０００４】
上記のような課題を解決するために、本発明の基礎用枠部材は、外郭を形成する外枠部と、前記外枠部から突出する部分であって、面状の型枠となる受け型枠と、からなることを特徴とするものである。ここで面状の型枠とは、金網板や板材など型枠としてほぼ面を形成することができる部材をいう。
そして、この基礎用枠部材を使用した法面の構造は、法面上に敷設した金網と、前記金網上において法面の横方向に間隔を置いて複数配置した前記基礎用枠部材と、前記基礎用枠部材に立設する支柱と、前記基礎用枠部材の内部に充填する固化材と、法面の横方向に複数設けた前記支柱間に配置する柵部材と、からなることを特徴とするものである。また、隣接する金網の端部と端部が重なるように帯状の金網を法面方向に敷設し、前記金網の端部の重複部上に法面方向に間隔を置いて複数の前記基礎用枠部材を設置し、前記基礎用枠部材の内部、及び前記重複部に沿って配置した鉄筋上に固化材を吹き付けて基礎部及び縦枠を構築し、前記基礎部に立設した支柱と、法面の横方向に間隔を置いて設けた他の支柱間に柵部材を配置したものである。
【発明の効果】
【０００５】
本発明の基礎用枠部材及びそれを使用した法面の構造は、上記した課題を解決するための手段により、次のような効果の少なくとも一つを得ることができる。
＜１＞簡単かつ経済的に法面上に柵を構築することができる。
＜２＞コンクリート等の人工物の露出が最小限に抑えられ、柵部材に丸太材を使用した場合は施工完了後から早期に周辺の自然景観と調和することができる。
＜３＞金網の端部に縦枠を構築した場合は、金網の捲れ上りを防ぐことができる。その結果、植生基材の法面への定着をよくすることができる。
＜４＞間伐材や現場で発生した木質副産物を有効に利用することができる。
【発明を実施するための最良の形態】
【０００６】
以下、図面を参照しながら本発明の実施の形態について説明する。
【０００７】
＜１＞全体構成
本発明の法面の構造は、法面上に敷設する金網２と、支柱４を立設するための基礎部５１と、支柱４と、支柱４，４間に配置する柵部材６で構成する。
金網２は、通常、幅２ｍ程度の帯状に形成されている。ここでいう金網２には、線材を編んで製作した金網、ラス網、溶接金網など、法面保護に使用する公知の網材が含まれる。
柵部材６には、伐採した丸太状態の丸太材、竹、剪定枝、製材した木板、製材した角材、金網などのネットが使用できる。
【０００８】
＜２＞基礎用枠部材（図２）
基礎用枠部材１は、支柱４を立設する基礎部５１を構築するための部材である。基礎用枠部材１は、外郭を形成する外枠部１１と、外枠部１１から突出する受け型枠１２とで構成する。
外枠部１１は、鉄線などの線材を折り曲げて製作する。例えば線材を折り曲げて矩形に形成し、矩形の両端から所定の位置で内側に折り曲げて側面視が台形状になるように加工する。そして、台形の上辺部のほぼ中央に上面から外側に突出する受け型枠１２を取り付ける。受け型枠１２は金網板や板材など面状の部材で形成する。例えば、三角形の２枚の側面板と、四角形の正面板によって受け型枠１２を形成する。この受け型枠１２の外形が基礎部５１の外形を決定することになる。受け型枠１２は、図２に示したような形状に限定されるものではなく、球体を４分割したような曲面状に形成することもできる（図示せず）。
また、受け型枠１２の内側に配置される外枠部１１の一部を半円状に折り曲げて、支柱４を打ち込む空間を確保することもできる。
【０００９】
＜３＞支柱
支柱４は、柵部材６を支持するための柱で、鉄筋や鋼棒などの棒部材が使用できる。支柱４は基礎部５１から上方に突出するように基礎部５１に立設する。支柱４と法面によって挟まれた角度が転石などの待ち受け角度となる。
支柱４は、法面の内部まで打ち込んで、地盤及び基礎部５１で支持させるのが好ましい（図４参照）。基礎部５１に先に固化材を充填して、後から支柱４を立設する場合は、基礎部５１の上面から法面まで貫通した孔を確保するために筒状のガイド管４１を基礎用枠部材１の内側に設置しておく。
支柱４に鋼材などの腐食する材料を使用する場合は、亜鉛メッキや塗装をするなどして防食処理をおこなうのが好ましい。
【００１０】
＜４＞縦枠
縦枠５２は、法面方向に連続して構築する枠部材である。縦枠５２は、法面や敷設した金網２を押さえつけて安定させる機能を有する。
縦枠５２は、モルタルやコンクリート等の固化材を吹き付けて構築する。固化材を吹き付ける前に鉄筋３を配置しておき、縦枠５２を補強することもできる。基礎用枠材１の側面視の台形を縦枠５２の断面形状にすることができる。この場合、法面方向に間隔を置いて配置した基礎用枠材１が、縦枠５２の外形を導く定規の役目を果たす。
縦枠５２は、隣接する金網２の端部同士を重ねた重複部２１上に構築するのが好ましい。重複部２１に縦枠５２を構築することで、金網２の捲れ上りを防止することができる。
【実施例】
【００１１】
以下、図面を参照しながら、本発明の法面の構造を構築する施工方法について説明する。
【００１２】
＜１＞金網の敷設
幅が約２ｍの帯状の金網２を法面の上方から下方に向けて敷設する。金網２はアンカーピン２２などで所々固定する。
一枚目の金網２ａを敷設した後に、金網２ａの端部同士が２０〜３０ｃｍ重なるようにして、別の金網２ｂを敷設する。この２枚の金網２ａ，２ｂが重なった部分を重複部２１とする。
重複部２１の中央付近には、法面方向に鉄筋３を配置する。鉄筋３を配置する本数は任意に設定することができる。鉄筋３は、結束線などで金網２に固定すればよい。なお、鉄筋３は後述する基礎用枠部材１を設置した後に、基礎用枠部材１の台形の内側に挿入するように配置することもできる。
【００１３】
＜２＞基礎部及び縦枠の構築
法面方向に間隔を置いて基礎用枠部材１を配置する。基礎用枠部材１は鉄筋３の上に配置して、結束線で鉄筋３や金網２に固定する。また、基礎用枠部材１の内側には、筒状のガイド管４１を設置して、支柱４を立設するための孔を確保する。ガイド管４１は、支柱４を打設する角度に合わせた向きで設置する。
そして、設置した鉄筋３を覆うようにモルタルなどの固化材を吹き付けて縦枠５２を構築する。縦枠５２は、例えば幅３５〜５０ｃｍ程度、厚みが１０ｃｍ程度になるように形成する。縦枠５２の構築と同時に、基礎用枠部材１の内部にも固化材を充填して基礎部５１を構築する。
【００１４】
＜３＞柵の構築
基礎部５１に設けたガイド管４１の孔に支柱４を挿入する。支柱４は、法面の地盤まで打ち込んで支持させるのが好ましい（図４参照）。例えば、８０ｃｍ〜１００ｃｍ程度の長さの異形鉄筋を支柱４としてガイド管４１の孔に打ち込む。直径が２０〜３０ｍｍ程度の鉄筋であれば、法面上であっても容易に打ち込むことができる。なお、固化材を基礎用枠部材１の内部に充填する前に支柱４を打ち込むこともでき、この場合は固化材が支柱４の周面に付着して一体化する。
上記した方法と同様にして法面の横方向に間隔を置いて複数設置した支柱４，４，４・・・間に、柵部材６を配置する。法面の横方向に間隔を置いて設置される支柱４，４，４・・・は、整列するように配置されるのが好ましい。整列されていれば、３本以上の支柱間を１本の柵部材６で繋ぐことができる。
支柱４，４間には、支柱間以上の長さの丸太材などの柵部材６を掛け渡す。柵部材６と支柱４は、例えば鉄線６１などを使用して一段ずつ固定する。また、支柱４，４間には補助的な支持部材として補助柱４２を設置することもできる（図１参照）。最下段の丸太材（柵部材６）は、縦枠５２上又は基礎部５１上に設置されるため、地盤と直接接触することがなく、柵部材６を構成する木材の腐食速度を低減させることができる。また、支柱４だけでなく縦枠５２や基礎部５１などの構造部材で柵部材６を支持することもできるので、構造的に安定する。
【００１５】
＜４＞緑化工
構築した縦枠５２，５２間は、金網２が露出した状態になっているため、植生基材７などを吹き付けて緑化工をおこなうのが好ましい。植生基材７の吹き付けは、縦枠５２を構築した後の施工性のよいタイミングでおこなえばよく、柵部材６の配置の前後又は並行しておこなうことができる。
柵部材６によって形成された柵の背面空間には、斜面の伐採や剪定などによって発生した木材チップなどの木質副産物や現場発生土を投入することができる。このようにすることで木質副産物や現場発生土の処理と、植生基盤の造成を一度におこなうことができる。柵部材６や充填材に現地で発生した材料を使用することで、微生物や種子を別途投入しなくとも周辺環境に適合した緑化を促進することが可能になる。
また、柵の背面空間を空の状態にしておけば、小石などの落石や落葉などを受け止めることができ、道路など法面下への落石を防止することができる。また、落葉が腐食して植生基盤を形成することも期待できる。
【図面の簡単な説明】
【００１６】
【図１】本発明の法面の構造の構築方法の実施例の説明図。
【図２】基礎用枠部材の実施例の斜視図。
【図３】法面の構造の実施例の切断斜視図。
【図４】法面の構造の実施例の断面図。
【符号の説明】
【００１７】
１・・・基礎用枠部材
１１・・外枠部
１２・・受け型枠
２・・・金網
２１・・重複部
３・・・鉄筋
４・・・支柱
５１・・基礎部
５２・・縦枠
６・・・柵部材
【図１】
2005068679.tif 000003
【図２】
2005068679.tif 000004
【図３】
2005068679.tif 000005
【図４】
2005068679.tif 000006